(57)【要約】【課題】外部からの駆動力によって役物そのものが変形動作可能であっても、ダイナミックに変形させることができる遊技機の演出装置を提供すること。【解決手段】遊技機１の演出装置４０は、外部からの駆動力８０によって役物４０そのものが変形動作可能に構成されている。この遊技機１の演出装置４０は、真空成形品から一体的に構成されている。【選択図】図５
2014018356.tif 000002
【特許請求の範囲】
【請求項１】
外部からの駆動力によって役物そのものが変形動作可能な遊技機の演出装置であって、
真空成形品から一体的に構成されていることを特徴とする遊技機の演出装置。
【請求項２】
請求項１に記載の遊技機の演出装置であって、
真空成形品は、透明な樹脂から成形されていることを特徴とする遊技機の演出装置。
【請求項３】
請求項１〜２のいずれかに記載の遊技機の演出装置であって、
変形動作には、捻り動作が含まれていることを特徴とする遊技機の演出装置。
【請求項４】
請求項１〜３のいずれかに記載の遊技機の演出装置であって、
略枠状に形成されており、
枠形状の内側の縁と、遊技盤ユニットの表示パネルの画面の外側の縁と、が略一致するように、遊技盤ユニット側に組み付けられていることを特徴とする遊技機の演出装置。
【発明の詳細な説明】
【技術分野】
【０００１】
本発明は、遊技機の演出装置に関し、詳しくは、外部からの駆動力によって役物そのものが変形動作可能な遊技機の演出装置に関する。
【背景技術】
【０００２】
従来、遊技機において、駆動力によって各種の動作を行うことで遊技中の演出を高めるための演出装置（例えば、役物）が既に知られている。ここで、下記特許文献１には、駆動力によって役物そのものの一部が変形動作する技術が開示されている。これにより、役物を動作させるためのメカ機構等が不要となるため、役物の構造を簡素化できる。
【先行技術文献】
【特許文献】
【０００３】
【特許文献１】特開２００９−２８５３３５号公報
【発明の概要】
【発明が解決しようとする課題】
【０００４】
しかしながら、上述した特許文献１の技術では、役物は、そのベースとなる硬質部材と、この硬質部材に被覆された伸縮部材（シート状のゴム、ストッキング部材）とから構成されている。このように構成されていると、役物の一部である伸縮部材のみが変形動作するため、変形動作させた役物の動きにダイナミックさが欠けることとなっていた。
【０００５】
本発明は、このような課題を解決しようとするもので、その目的は、外部からの駆動力によって役物そのものが変形動作可能であっても、ダイナミックに変形させることができる遊技機の演出装置を提供することである。
【課題を解決するための手段】
【０００６】
本発明は、上記の目的を達成するためのものであって、以下のように構成されている。
請求項１に記載の発明は、外部からの駆動力によって役物そのものが変形動作可能な遊技機の演出装置であって、真空成形品から一体的に構成されていることを特徴とする構成である。
この構成によれば、外部からの駆動力によって、例えば、演出装置（例えば、役物）の左側を前倒れ状態に変形させることができる。すなわち、従来技術として開示した特許文献１の技術と同様に、演出装置そのものの一部を変形動作させることができる。このとき、演出装置は、真空成形品から一体的に構成されている。そのため、出来上がった演出装置は、その厚みが薄く、柔らかさを備えたものとなっている。したがって、この変形動作が演出装置の略全域に及ぶため、演出装置の変形動作をダイナミックにできる。
【０００７】
また、請求項２に記載の発明は、請求項１に記載の遊技機の演出装置であって、真空成形品は、透明な樹脂から成形されていることを特徴とする構成である。
この構成によれば、例えば、演出装置の後側（後面側）にＬＥＤ基板が組み付けられていると、このＬＥＤ基板から発する光を演出装置が透過させることができる。したがって、演出装置の演出の度合いを高めることができる。
【０００８】
また、請求項３に記載の発明は、請求項１〜２のいずれかに記載の遊技機の演出装置であって、変形動作には、捻り動作が含まれていることを特徴とする構成である。
この構成によれば、演出装置の変形動作をよりダイナミックにできる。
【０００９】
また、請求項４に記載の発明は、請求項１〜３のいずれかに記載の遊技機の演出装置であって、略枠状に形成されており、枠形状の内側の縁と、遊技盤ユニットの表示パネルの画面の外側の縁と、が略一致するように、遊技盤ユニット側に組み付けられていることを特徴とする構成である。
この構成によれば、表示パネルの外側に演出装置が位置することとなり、表示パネルの画面の表示内容と演出装置の変形動作を絡めることができるため、演出装置の演出の度合いをさらに高めることができる。
【図面の簡単な説明】
【００１０】
【図１】図１は、本発明の実施例１に係る役物を適用した遊技機の正面図である。
【図２】図２は、図１の遊技盤ユニットの斜視図である。
【図３】図３は、図２の遊技盤ユニットにおける役物体の正面図である。
【図４】図４は、図３の斜視図である。
【図５】図５は、図４の分解斜視図である。
【図６】図６は、図５の第１の駆動ユニットの斜視図であり、その動作を示している。
【図７】図７は、図４の役物の動作の一例（動作例１）を示す図である。
【図８】図８は、図４の役物の動作の他の例（動作例２）を示す図である。
【図９】図９は、図４の役物の動作の他の例（動作例３）を示す図である。
【図１０】図１０は、図４の役物の動作の他の例（動作例４）を示す図である。
【図１１】図１１は、本発明の実施例２に係る役物体の正面図である。
【図１２】図１２は、図１１の斜視図である。
【図１３】図１３は、図１２の分解斜視図である。
【図１４】図１４は、図１３の第２の駆動ユニットの斜視図であり、その動作を示している。
【図１５】図１５は、図１３の第３の駆動ユニットの斜視図であり、その動作を示している。
【発明を実施するための形態】
【００１１】
以下、本発明を実施するための形態を、図面を用いて説明する。
（実施例１）
まず、本発明の実施例１を、図１〜１０を用いて説明する。なお、以下の説明にあたって、「演出装置」として、「役物４０」を例に説明することとする。このことは、後述する実施例２においても同様である。また、以下の説明にあたって、上、下、前、後、左、右とは、上述した図に記載した、上、下、前、後、左、右の方向を示している。
【００１２】
まず、図１〜２を参照して、本発明の実施例１に係る遊技機１（パチンコ機）の全体構成を説明する。この遊技機１は、図１に示すように、主として、遊技島のベースに組み付けられている略矩形状に形成された外枠と、この外枠にヒンジ（いずれも図示しない）を介して組み付けられている前枠（本体枠）１２とから構成されている。
【００１３】
この前枠１２には、遊技盤２０と役物体２２とから成る遊技盤ユニット１４が組み付けられている。ここで、図３〜５を参照して、役物体２２について詳述すると、この役物体２２は、役物カバー３０と、役物４０と、第１の駆動ユニット８０、８０とから構成されている。以下に、これら役物カバー３０と、役物４０と、第１の駆動ユニット８０、８０とを個別に説明していく。
【００１４】
まず、役物カバー３０から説明していく。役物カバー３０は、ケース状に形成されたカバー部材から構成されている。この役物カバー３０の凹み面には、画面６２を有する液晶モニタ６０が４本のビスＢ１を介して組み付けられている。また、この役物カバー３０の凹み面には、光を発し可能なＬＥＤ基板７０が２本のビスＢ２を介して組み付けられている。このように組み付けられていると、ＬＥＤ基板７０は、役物４０の後側（後面側）に組み付けられていることになる。また、この役物カバー３０の凹み面には、後述する左右の第１の駆動ユニット８０、８０の本体８２（図３〜５において、図示しない）が２本のビスＢ３を介してそれぞれ組み付けられている。
【００１５】
このように構成されている役物カバー３０は、この役物カバー３０自身に取り付けられる役物４０が遊技盤２０に形成されている開口２０ａから露出するように、遊技盤２０の後面にビス（図示しない）を介して組み付けられている。そのため、遊技機１の遊技者は、遊技盤２０の開口２０ａを介して役物カバー３０の凹み面に組み付けられている液晶モニタ６０の画面６２を見ることができる。
【００１６】
次に、役物４０を説明する。役物４０は、真空引きによって立体的な枠形状を成すように一体的に成形された透明な樹脂製の部材（真空成形品）から構成されている。このように真空成形品から構成されていると、役物４０が硬質の素材から形成されていても、外部からの駆動力（例えば、後述する第１の駆動ユニット８０）によって、役物４０そのものを変形させることができる。
【００１７】
この役物４０の枠形状の四隅には、すなわち、この役物４０の上枠４２、下枠４４、左枠４６、右枠４８が連結する四隅には、蛇腹（「蛇腹部５０」と記す）が一体的に形成されている。これにより、例えば、上枠４２を基準にすると、この上枠４２に隣り合う左枠４６および右枠４８が動き易くなるため、役物４０を変形させ易い。
【００１８】
また、この蛇腹部５０には、その外側に向けて切込５２が形成されている。これにより、例えば、上枠４２を基準にすると、この上枠４２に隣り合う左枠４６および右枠４８がより動き易くなるため、役物４０をより変形させ易い。なお、この役物４０は、その枠形状の内側の縁が、この役物４０自身を組み付ける役物カバー３０に組み付けられている液晶モニタ６０の画面６２の外側の縁に対して略一致するように形成されている。この記載が、特許請求の範囲に記載の「枠形状の内側の縁と、遊技盤ユニットの表示パネルの画面の外側の縁と、が略一致するように、遊技盤ユニット側に組み付けられている」に相当する。
【００１９】
最後に、第１の駆動ユニット８０、８０を説明する。なお、この第１の駆動ユニット８０、８０は、左右に対を成すように構成されている。そのため、左側の第１の駆動ユニット８０を説明することで、右側の第１の駆動ユニット８０の説明を省略することとする。左側の第１の駆動ユニット８０は、図６（Ａ）に示すように、本体８２と、この本体８２に締結されているステッピングモータ８４と、このステッピングモータ８４の回転軸（図示しない）に固着されている可動片８６と、この可動片８６の両端に取り付けられる取付ピン８８、８８とから構成されている。
【００２０】
このように構成されているため、図６（Ａ）に示す状態から、ステッピングモータ８４を駆動させると、図６（Ｂ）に示すように、可動片８６を前倒れさせたり、図６（Ｃ）に示すように、可動片８６を後倒れさせたりできる。なお、この取付ピン８８は、図５に示すように、役物４０の取付孔４０ａに差し込まれた後に、可動片８６に取り付けられている。これにより、第１の駆動ユニット８０を介して役物４０を役物カバー３０に組み付けることができる。役物体２２は、このように構成されている。
【００２１】
続いて、図７〜１０を参照して、上述した役物４０の動作例を説明する。この動作例を説明するにあたって、下記の動作例１〜動作例４の４つを順に説明していく。まず、動作例１から説明していく。
【００２２】
＜動作例１＞
この動作例１は、左右の第１の駆動ユニット８０、８０を同じ動作させたものである。図７（Ａ）は、左右の第１の駆動ユニット８０、８０を停止させた状態である。また、図７（Ｂ）は、左右の第１の駆動ユニット８０、８０の可動片８６、８６を前倒れさせた状態である。このように前倒れさせると、この前倒れに伴って、役物４０を前倒れ状態にできる。また、図７（Ｃ）は、図７（Ｂ）と比較すると、上下逆に動作させたものであり、左右の第１の駆動ユニット８０、８０の可動片８６、８６を後倒れさせた状態である。このように後倒れさせると、この後倒れに伴って、役物４０を後倒れ状態にできる。
【００２３】
＜動作例２＞
この動作例２は、左右の第１の駆動ユニット８０、８０のうち、左側の第１の駆動ユニット８０を動作させたものである。図８（Ａ）は、左右の第１の駆動ユニット８０、８０を停止させた状態である。また、図８（Ｂ）は、右側の第１の駆動ユニット８０の可動片８６を前倒れさせた状態である。このように前倒れさせると、この前倒れに伴って、役物４０の右側を前倒れ状態にできる。また、図８（Ｃ）は、図８（Ｂ）と比較すると、上下逆に動作させたものであり、右側の第１の駆動ユニット８０の可動片８６を後倒れさせた状態である。このように後倒れさせると、この後倒れに伴って、役物４０の右側を後倒れ状態に変形させることができる。すなわち、役物４０を捻り状態に変形（捻り動作）させることができる。
【００２４】
＜動作例３＞
この動作例３は、左右の第１の駆動ユニット８０、８０のうち、左側の第１の駆動ユニット８０を動作させたものである。図９（Ａ）は、左右の第１の駆動ユニット８０、８０を停止させた状態である。また、図９（Ｂ）は、左側の第１の駆動ユニット８０の可動片８６を前倒れさせた状態である。このように前倒れさせると、この前倒れに伴って、役物４０の左側を前倒れ状態にできる。また、図９（Ｃ）は、図９（Ｂ）と比較すると、上下逆に動作させたものであり、左側の第１の駆動ユニット８０の可動片８６を後倒れさせた状態である。このように後倒れさせると、この後倒れに伴って、役物４０の左側を後倒れ状態に変形させることができる。すなわち、役物４０を捻り状態に変形（捻り動作）させることができる。
【００２５】
＜動作例４＞
この動作例４は、左右の第１の駆動ユニット８０、８０を上下逆に動作させたものである。図１０（Ａ）は、左右の第１の駆動ユニット８０、８０を停止させた状態である。また、図１０（Ｂ）は、右側の第１の駆動ユニット８０の可動片８６を後倒れさせた状態であり、左側の第１の駆動ユニット８０の可動片８６を前倒れさせた状態である。このように後倒れと前倒れさせると、これら後倒れと前倒れに伴って、役物４０の右側を後倒れ状態に変形させることができると共に役物４０の左側を前倒れ状態に変形させることができる。すなわち、動作例２および動作例３より、さらに、役物４０を捻り状態に変形（さらなる捻り動作）させることができる。
【００２６】
また、図１０（Ｃ）は、図１０（Ｂ）と比較すると、上下逆に動作させたものであり、右側の第１の駆動ユニット８０の可動片８６を前倒れさせた状態であり、左側の第１の駆動ユニット８０の可動片８６を後倒れさせた状態である。このように前倒れと後倒れさせると、これら前倒れと後倒れに伴って、役物４０の右側を前倒れ状態に変形させることができると共に役物４０の左側を後倒れ状態に変形させることができる。すなわち、動作例２および動作例３より、さらに、役物４０を捻り状態に変形（さらなる捻り動作）させることができる。
【００２７】
本発明の実施例１は、上述したように構成されている。この構成によれば、右の第１の駆動ユニット８０を動作させると、役物４０の右側を前倒れ状態に変形させることができる。すなわち、従来技術として開示した特許文献１の技術と同様に、役物４０の右側そのものを変形動作させることができる。このとき、役物４０は、真空成形品から一体的に構成されている。そのため、出来上がった役物４０は、その厚みが薄く、柔らかさを備えたものとなっている。したがって、この変形動作が役物４０の右側の略全域に及ぶため、役物４０の右側そのものの変形動作をダイナミックにできる。このことは、役物４０の左側を前倒れまたは後ろ倒れ状態に変形させたとき（動作例３）、役物４０の右側を後倒れ状態に変形させると共に役物４０の左側を前倒れ状態に変形させたとき（動作例４）、役物４０の右側を前倒れ状態に変形させることができると共に役物４０の左側を後倒れ状態に変形させたとき（動作例４）も同様である。
【００２８】
また、この構成によれば、役物４０は、透明な樹脂製の部材から構成されている。そのため、役物４０の後側（後面側）にＬＥＤ基板７０が組み付けられていると、このＬＥＤ基板７０から発する光を役物４０が透過させることができる。したがって、役物４０の演出の度合いを高めることができる。
【００２９】
また、この構成によれば、役物４０を捻り状態に変形（捻り動作）させることができる。したがって、役物４０の変形動作をよりダイナミックにできる。
【００３０】
また、この構成によれば、役物４０は、その枠形状の内側の縁が、この役物４０自身を組み付ける役物カバー３０に組み付けられている液晶モニタ６０の画面６２の外側の縁に対して略一致するように形成されている。したがって、液晶モニタ６０の外側に役物４０が位置することとなり、液晶モニタ６０の画面６２の表示内容と役物４０の変形動作を絡めることができるため、役物４０の演出の度合いをさらに高めることができる。
【００３１】
また、上述した動作例２および動作例３のように動作させると、役物４０の重量が左右の第１の駆動ユニット８０、８０に掛かることを抑制できる。したがって、役物４０を動作させるために必要な左右の第１の駆動ユニット８０、８０の駆動力を抑えることができる。
【００３２】
（実施例２）
次に、本発明の実施例２を、図１１〜１５を用いて説明する。この実施例２は、既に説明した実施例１と比較すると、役物４０の変形動作をさらにダイナミックにできる形態である。なお、以下の説明にあたって、実施例１と同一の部材には、図面において同一符号を付す事で重複する説明は省略することとする。また、この実施例２の役物４０は、実施例１の役物４０より大きく形成されている。すなわち、この実施例２の役物４０は、遊技盤２０と略同じ大きさに形成されている。
【００３３】
役物４０は、図１１〜１３に示すように、４個の第２の駆動ユニット１８０と４個の第３の駆動ユニット１９０とを介して役物カバー３０に組み付けられている。ここで言う４個とは、役物カバー３０の四隅である、左上、右上、左下、右下に設けられた４個のことである。以下に、これら第２の駆動ユニット１８０と第３の駆動ユニット１９０とを個別に説明していく。
【００３４】
まず、第２の駆動ユニット１８０から説明していく。第２の駆動ユニット１８０は、図１４（Ａ）に示すように、本体１８２と、この本体１８２に締結されているソレノイド１８４と、このソレノイド１８４にリンク（図示しない）を介して組み付けられているスライダ１８６と、このスライダ１８６の先端に取り付けられる取付ピン１８８とから構成されている。なお、図１４では、略四隅に設けられた４個の第２の駆動ユニット１８０のうち、右上の第２の駆動ユニット１８０を示している。
【００３５】
この取付ピン１８８は、図１３に示すように、役物４０の取付孔４０ａに差し込まれた後に、スライダ１８６に取り付けられる。これにより、実施例１と同様に、第２の駆動ユニット１８０を介して役物４０を役物カバー３０に組み付けることができる。なお、この第２の駆動ユニット１８０は、図１４（Ａ）に示す状態から、そのソレノイド１８４を駆動させると、図１４（Ｂ）に示すように、スライダ１８６を前進させることができるように構成されている。これにより、役物４０を進出状態に変形させることができる。
【００３６】
次に、第３の駆動ユニット１９０を説明していく。第３の駆動ユニット１９０は、図１５（Ａ）に示すように、本体１９２と、この本体１９２に締結されているソレノイド（図示しない）と、このソレノイドにリンク（図示しない）を介して組み付けられているアーム１９６と、このアーム１９６の先端に取り付けられる取付ピン１９８とから構成されている。なお、図１５では、略四隅に設けられた４個の第３の駆動ユニット１９０のうち、左上の第３の駆動ユニット１９０を示している。
【００３７】
この取付ピン１９８は、図１３に示すように、役物４０の取付孔４０ａに差し込まれた後に、アーム１９６に取り付けられる。これにより、実施例１と同様に、第３の駆動ユニット１９０を介して役物４０を役物カバー３０に組み付けることができる。なお、この第３の駆動ユニット１９０は、図１５（Ａ）に示す状態から、そのソレノイド（図示しない）を駆動させると、図１５（Ｂ）に示すように、アーム１９６を上側に回動させたり、図１５（Ｃ）に示すように、アーム１９６を下側に回動させたりできるように構成されている。
【００３８】
本発明の実施例２は、上述したように構成されている。この構成によれば、実施例１と同様の作用効果を得ることができる。また、この構成によれば、実施例１より駆動ユニットの数が６個多いため、役物４０の変形動作をさらにダイナミックにできる。
【００３９】
上述した内容は、あくまでも本発明の一実施の形態に関するものであって、本発明が上記内容に限定されることを意味するものではない。実施例１では、役物４０は、その枠形状の内側の縁が、この役物４０自身を組み付ける役物カバー３０に組み付けられている液晶モニタ６０の画面６２の外側の縁に対して略一致するように形成されている形態を説明した。しかし、これに限定されるものでなく、役物４０は、その枠形状の内側の縁が、この役物４０自身を組み付ける役物カバー３０に組み付けられている液晶モニタ６０の画面６２の外側の縁に対して完全に一致もしくは隙間を隔てて一致するように形成されていても構わない。このことは、実施例２においても同様である。
【００４０】
また、実施例１では、役物４０は、左右に対を成す第１の駆動ユニット８０、８０を介して役物カバー３０に組み付けられている形態を説明した。すなわち、役物４０は、２点の可動点（左の第１の駆動ユニット８０の可動片８６の取付ピン８８、８８と、右の第１の駆動ユニット８０の可動片８６の取付ピン８８、８８）を介して役物カバー３０に組み付けられている形態を説明した。しかし、これに限定されるものでなく、役物４０は、１点の可動点（左または右の第１の駆動ユニット８０の可動片８６の取付ピン８８、８８）と１点の固定点とを介して役物カバー３０に組み付けられている形態であっても構わない。この場合、１点の固定点として、役物４０の何処か１点が役物カバー３０に固着されることとなる。また、役物４０は、少なくとも１点の可動点（左または右の第１の駆動ユニット８０の可動片８６の取付ピン８８、８８）と少なくとも１点の固定点とを介して役物カバー３０に組み付けられている形態であっても構わない。これらのことは、実施例２においても同様である。
【００４１】
また、実施例１では、「役物４０」が「遊技盤ユニット１４側」に組み付けられる例として、「役物４０」が「役物カバー３０」に組み付けられる形態を説明した。しかし、これに限定されるものでなく、「遊技盤ユニット」に属する部材であれば、「役物カバー３０」に限ることなく、各種の部材であっても構わない。このことは、実施例２においても同様である。
【００４２】
また、役物４０に柄を印刷にて入れることにより、役物４０の可動を視認し易くできる。また、役物４０に表面より光を当てて、可動による光の反射により、可動を大きく見せることができる。また、役物４０に印刷による表面処理、熱塑性変形させる成形法などにより微細な形状を作り、裏面から光を当てることにより、光の変化により、可動を大きく見せることができる。
【符号の説明】
【００４３】
１      遊技機
１４    遊技盤ユニット
４０    役物
６０    液晶モニタ（表示パネル）
８０    第１の駆動ユニット
【図１】
2014018356.tif 000003
【図２】
2014018356.tif 000004
【図３】
2014018356.tif 000005
【図４】
2014018356.tif 000006
【図５】
2014018356.tif 000007
【図６】
2014018356.tif 000008
【図７】
2014018356.tif 000009
【図８】
2014018356.tif 000010
【図９】
2014018356.tif 000011
【図１０】
2014018356.tif 000012
【図１１】
2014018356.tif 000013
【図１２】
2014018356.tif 000014
【図１３】
2014018356.tif 000015
【図１４】
2014018356.tif 000016
【図１５】
2014018356.tif 000017